(57)【特許請求の範囲】
【請求項１】
走行するワイヤロープを磁化させて、ワイヤロープの損傷部からの漏洩磁束を測定してロープの損傷を検出するロープテスタと、このロープテスタをワイヤロープに近接したテスト位置に保持する支持装置とを備えたロープテスタ装置において、
上記支持装置が、上記テスト位置に設けられ、ワイヤロープの走行方向に対して直角に延びた取付軸と、
一端で上記ロープテスタに連結され、他端で上記取付軸に係合して、上記ロープテスタに対し上記ワイヤロープの走行方向に関する拘束を与えつつ、上記ワイヤロープの走行方向に対して直角方向、及び、上記取付軸の延びる方向に、上記ロープテスタを移動可能にする係合片とを備え、
上記係合片は、上記ロープテスタを上記取付軸の回りに回動可能にするフックである、
ことを特徴とするロープテスタ装置。
【請求項２】
上記取付軸は、上記ワイヤロープの走行方向に見て上記ロープテスタの前縁側に配置されていることを特徴とする請求項１に記載のロープテスタ装置。
【請求項３】
上記係合片は、上記ロープテスタに取り付けられたブラケット上に支持されていることを特徴とする請求項１に記載のロープテスタ装置。
【請求項４】
上記係合片は、上記取付軸に取り付けられた閉塞位置と、上記取付軸を開放する開放位置とに可動であることを特徴とする請求項１〜３のいずれか一項に記載のロープテスタ装置。
【請求項５】
上記係合片は、スライド構造により上記閉塞位置と上記開放位置とに可動であることを特徴とする請求項４に記載のロープテスタ装置。
【請求項６】
上記係合片は、蝶番構造により上記閉塞位置と上記開放位置とに可動であることを特徴とする請求項４に記載のロープテスタ装置。
【請求項７】
上記係合片は、締結金具により上記閉塞位置に固定されることを特徴とする請求項４に記載のロープテスタ装置。
【発明の詳細な説明】
【技術分野】
【０００１】
この発明はワイヤロープの損傷を検出するロープテスタ装置に関し、特にエレベータ用巻上機に用いられるロープの素線断線を検出するのに適したロープテスタ装置に関するものである。
【背景技術】
【０００２】
従来のロープテスタ装置においては、走行するワイヤロープにロープテスタを押し当ててワイヤロープを磁化させ、ワイヤロープの損傷部からの漏洩磁束を測定してロープの損傷を検出している。【０００３】
ロープテスタをワイヤロープに近接したテスト位置に保持する支持装置は、ロープテスタと機械台に固定した支持アームとの間に弾性部材を備えていて、ロープテスタをワイヤロープの走行方向に対して直角方向に移動可能に弾性的に支持してある（例えば特許文献１参照）。【０００４】
このようなロープテスタにおいては、ロープテスタが弾性的に支持されているので、ロープテスタは振動するロープに追従して移動することができ、ロープとロープテスタとの間の関係を一定に維持してノイズの発生を低減できるようにしてある。またこのロープテスタにおいては、ロープテスタが弾性部材を介してワイヤロープに押し当てられているため、ワイヤロープの振動を減少させる作用もしている。【０００５】
【特許文献１】特開平９−２９０９７３号
【発明の開示】
【発明が解決しようとする課題】
【０００６】
しかしながら、このようなロープテスタ装置にあっては、ロープの振動の減少のため弾性部材を介してロープに取付けられているが、ロープの振動低減は弾性部材の弾性（硬軟）によって決定され、ロープテスタがロープに及ぼす磁気吸引力と弾性部材の保持力の均衡維持が難しく、ロープ速度の変化による振動の振幅の変化に対応しにくい。【０００７】
従ってこの発明の目的は、ロープ速度によって大きく変化するワイヤロープの走行方向に直角な方向の振動をより確実に低減できるロープテスタ装置を得ることである。
【課題を解決するための手段】
【０００８】
この発明に係るロープテスタ装置は、走行するワイヤロープを磁化させて、ワイヤロープの損傷部からの漏洩磁束を測定してロープの損傷を検出するロープテスタと、このロープテスタをワイヤロープに近接したテスト位置に保持する支持装置とを備えたロープテスタ装置において、上記支持装置が、上記テスト位置に設けられ、ワイヤロープの走行方向に対して直角に延びた取付軸と、一端で上記ロープテスタに連結され、他端で上記取付軸に係合して、上記ロープテスタを上記ワイヤロープの走行方向に対して直角方向に移動可能にする係合片とを備えたことを特徴とするものである。
【発明の効果】
【０００９】
この構成により、ロープテスタの磁気吸引力によりロープの振動を吸収され、ロープテスタが振動するワイヤロープに追従して移動しやすくなり、振動ノイズが減少する。
【図面の簡単な説明】
【００１０】
【図１】本発明の実施の形態１によるロープテスタ装置をエレベータのワイヤロープの損傷検出に用いた場合を示す概略図である。（実施例１）
【図２】図１のロープテスタ装置の斜視図である。（実施例１）
【図３】図１のロープテスタ装置の支持装置を開放位置で示す概略部分断面図である。（実施例１）
【図４】図１のロープテスタ装置の支持装置を閉塞位置で示す概略部分断面図である。（実施例１）
【図５】本発明の実施の形態２によるロープテスタ装置を示す概略部分断面図である。（実施例２）
【図６】本発明の実施の形態３によるロープテスタ装置を示す概略部分断面図である。（実施例３）
【発明を実施するための最良の形態】
【００１１】
本発明を実施するための最良の形態を以下に説明する。
【実施例１】
【００１２】
図１〜図４は本発明の実施の形態１によるロープテスタ装置を示す図である。図１はロープテスタ装置をエレベータのワイヤロープの損傷検出に用いた場合を示す概略図であり、図２はロープテスタ装置の斜視図、図３はロープテスタ装置の支持装置を開放位置で示す概略部分断面図、図４はロープテスタ装置の支持装置を閉塞位置で示す概略部分断面図である。【００１３】
図１において、エレベータの昇降路１の頂部には機械台２が設けられていてその上に機械室３が形成されている。機械室３内には巻上機４およびそらせ車５が設けられ、かごを昇降させるワイヤロープ６が巻き掛けられている。機械台２上で巻上機４とそらせ車５との間に張られたワイヤロープ６に近接した位置にはこの発明のロープテスタ装置７が設けられている。【００１４】
ロープテスタ装置７は、走行するワイヤロープ６を磁化させて、ワイヤロープ６の損傷部からの漏洩磁束を測定してロープの損傷を検出するロープテスタ８と、このロープテスタ８をワイヤロープ６に近接したテスト位置に保持する支持装置９とを備えている。【００１５】
ロープテスタ８自体は、漏洩磁束型の公知のものであってよく、図２に示すように、箱形のハウジング１０内に、磁化器１１と、プローブ１２と、制御器１３とを備え、磁化器１１でワイヤロープ６を磁化し、プローブ１２で磁化されたワイヤロープ６の損傷部分からの漏洩磁束を検出し、制御器１３で検出信号を処理してワイヤロープ６の損傷を検知するものである。【００１６】
ロープテスタ装置７の支持装置９は、図２に示すように、テスト位置に設けられ、図２の矢印Ａで示すワイヤロープ６の走行方向に対して直角であって、複数のワイヤロープ６の配列方向に平行な方向に延びた取付軸１４を備えている。取付軸１４は、ワイヤロープ６の走行方向に見てロープテスタ８の前縁側、すなわち走行するワイヤロープ６がロープテスタ８に出会うときに始めに出会う側の端部の側に配置されている。図示の例では、取付軸１４はロープテスタ８の前縁から更に前方に離れ、また上方に移動した位置に配置されている。【００１７】
取付軸１４は、図示の例では機械台２上に固定された２本の支柱１５によって支持された円筒形の軸部材であり、支柱１５に設けた複数の取付穴１６に選択的に挿入されて支持されていて、必要に応じて高さを変更できるようにしてある。支柱１５自体の高さを調節できるようにしても良い。【００１８】
ロープテスタ装置７の支持装置９はまた、一端でロープテスタ８に連結され、他端で取付軸１４に係合して、ロープテスタ８をワイヤロープ６の走行方向（矢印Ａ）に対して直角方向に移動可能にする係合片１７を備えている。【００１９】
係合片１７は、図示の例では板部材をＪ字型に曲げたフックであって、フック部分に取付軸１４を受け入れて支持するものである。係合片１７の長い方の脚部には脚部の長さ方向に長孔１８（図３および図４参照）が設けてあり、この長孔１８には止めねじ１９が通されていて係合片１７の位置をスライド構造により調整できるようにしてある。長孔１８に挿入された止めねじ１９は、ロープテスタ８のハウジング１０に取り付けられたＬ字型のブラケット２０の立ち上がり脚部２１を貫通して延びていて、止めねじ１９を締め付けると、ブラケットの脚部２１に係合片１７が固定される。ブラケット２０の第２の脚部２２は、長孔とねじとで構成された固着手段２３により位置調整可能にロープテスタ８のハウジング１０に取り付けられている。ブラケット２０には２つの脚部２１および２２間に延びたリブ２４が設けられている。【００２０】
この発明のロープテスタ装置７を用いてワイヤロープ６のテストを行う場合には、図３に示すように、止めねじ１９を緩めて係合片１７をブラケット２０から突出させ、フック状の係合片１７のＪ字型の短い脚部の先端とブラケット２０のリブ２４との間に開放部を形成して、この開放部を通して取付軸１４の脱着ができるようにする。この位置は、支持装置９の係合片１７から取付軸１４を解放する開放位置である。【００２１】
ロープテスタ装置７の取付軸１４は、別途機械台２上に据付けておいた支柱１５（図１および図２参照）の適当な位置に配置しておき、開放位置にあるロープテスタ８をワイヤロープ６上に乗せて滑らせて、取付軸１４を係合片１７の開放部から受け入れて係合片１７の内面に当接させる。この状態が図３である。【００２２】
次に係合片１７を下方にスライドさせて係合片１７の開放部を閉塞して取付軸１４に係合した閉塞位置に動かし、止めねじ１９を締めて係合片１７をブラケット２０に固定する。この状態が図４である。このとき、取付軸１４は、フック状の係合片１７とブラケット２０のリブ２４とにより形成された閉じた空間２５内に遊びをもって受け入れられていて、ワイヤロープ６の走行方向Ａに対して直角な図４の矢印Ｂで示す方向には摺動できるが、ワイヤロープ６の走行方向Ａには実質的に移動できないようにしてある。【００２３】
このようにロープテスタ装置７をテストすべきワイヤロープ６にセットし、エレベータ装置を保守点検モードで運転してロープを矢印Ａの方向に走行させながらロープテスタ８を作動させれば、ロープテスタ８はワイヤロープ６に磁気吸引力によって吸着されながら、ワイヤロープ６上をスライドしつつ漏洩磁束を測定してロープの損傷を検知することができる。【００２４】
この構造によれば、ワイヤロープ６の速度の変化によって振幅が大きく変化するロープ垂直方向の振動にロープテスタ８全体が追従するため、振動によるロープテスタ８のノイズの影響を低減できる。また、ワイヤロープ６の長手方向（走行方向）にはロープテスタ８の動きが制限されるため、ワイヤロープ６とロープテスタ８の摩擦や磁気吸引力により、ロープテスタ８がロープ長手方向に移動してしまうことがない。【００２５】
取付軸１４は、ロープテスタ８よりも前方即ちワイヤロープ６の走行方向Ａにおいてロープテスタ８が取付軸１４の下流になるようにしてある。この構造によりワイヤロープ６の進行方向が図２の矢印Ａであるとすると、ワイヤロープ６の異常部分（素線破断、ストランド破断、ロープ径膨張、異物付着）が、ロープテスタ８と衝突した場合でも、取付軸１４を中心にロープテスタ８が回転して障害物である異常部分を受け流すことができる。これにより、エレベータシステム及びロープテスタ８に損傷を与える可能性を低くすることができる。【００２６】
また、係合片１７は止めねじ１９の締結力の強弱により、図３および図４に示すように移動させて取付軸１４に対する着脱することが可能となる。この構造により、ロープテスタ８の取付けは、取付軸１４より上方に十分離れた所において、係合片１７が図２の開放位置でロープテスタ８をワイヤロープ６に磁気吸引力にて吸着させ、ワイヤロープ６に沿って上から下に係合片１７が取付軸１４に接触するまで移動させ、係合片１７を図４の状態に移動させることで完了する。
【実施例２】
【００２７】
図５に示すロープテスタ装置においては、Ｌ字型のフックである係合片３０を蝶番３１によってブラケット２０に可動可能に取付て、係合片３０の内面で取付軸１４に係合させるとともに自由端３２をビス３３でブラケット２０に固定できるようにした開閉構造としてある。このように、係合片３０は、蝶番構造により図３の実線で示すように取付軸１４を閉じた空間２５内に受け入れた閉塞位置と、ビス３３が緩められて取付軸１４の脱着が自由にできる図５の破線で示す開放位置とに可動である。【００２８】
この構造により、ワイヤロープ６の走行方向Ａに垂直な方向のスペースを小さくできる。ビス３３の代わりにクリップを用いて係合片３０とブラケット２０とを着脱式に固定することもできるし、係合片３０の先端にクリップ状の曲がり部分を設けて係合片３０自体の弾性を用いて着脱式に固定することもできる。
【実施例３】
【００２９】
図６においては、係合片１７を着脱式にブラケット２０に固定する締結金具として、図１〜図４に示す実施例の止めねじ１９の代わりに、トグルクランプ３４を用いたトグル構造とされている。係合片１７は、このトグルクランプ３４を倒すことによってブラケット２０に締結されて図６に示す閉塞位置に固定され、トグルクランプ３４を起こすことによって緩められて開放位置にスライドさせることができる。この構造により、フックである係合片１７の開閉がワンタッチで行える。【００３０】
この明細書において発明を実施するための最良の形態として説明した実施例は、この発明を実施する場合の具体例を示すものであって、発明を限定するものではない。また様々な実施例の特徴を適宜組み合わせて実施することもできる。
【図１】
0005393474.tif 000002
【図２】
0005393474.tif 000003
【図３】
0005393474.tif 000004
【図４】
0005393474.tif 000005
【図５】
0005393474.tif 000006
【図６】
0005393474.tif 000007